(57)【要約】【課題】タブ挿入口とこれに隣接する開口部との間を仕切る仕切壁の強度を高める。【解決手段】タブ挿入口１４の開口縁における四隅のうち仕切り壁１８に沿った辺縁の端部に位置する隅部には、タブ挿入口１４の中心に向かって盛り上がる略弧状の補強部１９を形成した。仕切り壁１８は、補強部１９が形成された端部において厚肉となっているので、強度が高められ、仕切壁１８にタブ２１ａなどが突き当たっても、仕切壁１８が破損したり変形したりすることが防止される。また、仕切り壁１８が肉厚となるのは、仕切壁１８に沿う辺縁のうちの端部のみであるから、タブ挿入口１４の開口領域は全体として概ね方形に保たれ、タブ２１ａに挿入に支障を来たすことはない。【選択図】  図１
2004319385.tif 000002
【特許請求の範囲】
【請求項１】
キャビティを有する合成樹脂製のハウジングと、
前記キャビティ内に挿入される雌端子金具と、
前記ハウジングの前端面に前記キャビティと連通するように略方形に開口され、雄端子金具の先端のタブが前記キャビティ内に進入することを許容するためのタブ挿入口と、
前記ハウジングの前端面に仕切壁によって前記タブ挿入口から仕切られた形態で開口された開口部とを備えたコネクタにおいて、
前記タブ挿入口の開口縁における四隅のうち少なくとも前記仕切壁に沿った辺縁の端部に位置する隅部には、前記タブ挿入口の中心に向かって盛り上がる略弧状又は略テーパ状の補強部が形成されていることを特徴とするコネクタ。
【請求項２】
前記タブ挿入口の辺縁と前記補強部の内周面とが滑らかに連なっていることを特徴とする請求項１記載のコネクタ。
【請求項３】
前記ハウジングの前端面における前記タブ挿入口の開口縁部には、前記キャビティ側から前記ハウジングの前端面側に向かって開口面積が拡大するテーパ状の誘導部が形成されており、
前記補強部は、略円弧状をなし、前記誘導部において前記ハウジングの前端面側から前記キャビティ側に向かって弧の曲率半径が増大する形態とされていることを特徴とする請求項１または請求項２記載のコネクタ。
【請求項４】
前記ハウジングの前端面における前記タブ挿入口の開口縁部には、前記キャビティ側から前記ハウジングの前端面側に向かって開口面積が拡大するテーパ状の誘導部が形成されており、
前記補強部は、略円弧状をなし、前記誘導部において前記ハウジングの前端面側から前記キャビティ側に向かって弧の曲率半径が減少する形態とされていることを特徴とする請求項１または請求項２記載のコネクタ。
【請求項５】
前記ハウジングの前端面における前記タブ挿入口の開口縁部には、前記キャビティ側から前記ハウジングの前端面側に向かって開口面積が拡大するテーパ状の誘導部が形成されており、
前記補強部は、略テーパ状をなし、前記誘導部において前記ハウジングの前端面側から前記キャビティ側に向かってテーパ部の幅が増大する形態とされていることを特徴とする請求項１記載のコネクタ。
【請求項６】
前記ハウジングの前端面における前記タブ挿入口の開口縁部には、前記キャビティ側から前記ハウジングの前端面側に向かって開口面積が拡大するテーパ状の誘導部が形成されており、
前記補強部は、略テーパ状をなし、前記誘導部において前記ハウジングの前端面側から前記キャビティ側に向かってテーパ部の幅が減少する形態とされていることを特徴とする請求項１記載のコネクタ。
【発明の詳細な説明】
【０００１】
【発明の属する技術分野】
本発明は、先端にタブを有する雄端子金具を挿入させるためのタブ挿入口を備えた雌形のコネクタに関するものである。
【０００２】
【従来の技術】
先端にタブを有する雄端子金具を挿入させるためのタブ挿入口を備えた雌形のコネクタは、合成樹脂製のハウジング内にキャビティを形成し、そのキャビティ内に雌端子金具を挿入するとともに、キャビティ内に設けたランスにより雌端子金具を抜止めする構造となっている。ハウジングの前端面に開口するタブ挿入口はキャビティ内に連通されており、そのタブ挿入口から雄端子金具のタブが差し込まれると、そのタブとキャビティ内の雌端子金具とが接続される。
【０００３】
かかるコネクタでは、メンテナンス等のためキャビティ内の雌端子金具を抜き取る場合に備え、雌端子金具を抜止めしているランスを雌端子金具から外すための構造がとられている。即ち、ハウジングの前端面には、ランスの形成空間に連通する治具挿入口が開口され、その治具挿入孔から差し込んだ細長い治具によりランスを撓ませて雌端子金具から外すことができるようになっている。
尚、タブ挿入口を備えた雌形のコネクタとしては、特許文献１に開示されているものがある。
【０００４】
【特許文献１】
特開２００１−１５５８１１公報
【０００５】
【発明が解決しようとする課題】
上記従来のコネクタでは、ランスがキャビティの内壁に沿って設けられていることから、図１０に示すように、ハウジング１００の前端面においてはタブ挿入口１０１と治具挿入口１０２とが接近して配置されている。そのため、コネクタが小型化された場合には、タブ挿入口１０１と治具挿入口１０２との間隔が狭まり、両挿入口１０２，１０２を仕切る仕切壁１０３が薄くなってしまう。このように薄い仕切壁１０３は強度が低いため、タブや治具が仕切壁１０３に付き当たったときにその仕切壁１０３が破損することが懸念される。
【０００６】
尚、この仕切壁の破損の問題は、仕切壁によってタブ挿入口との間を仕切られる開口部が治具挿入口である場合に限らず、他の目的で使用される開口部とタブ挿入口とが仕切壁で仕切られているコネクタにおいても同様に解決が望まれる課題である。
本願発明は上記事情に鑑みて創案され、タブ挿入口とこれに隣接する開口部とを仕切る仕切壁の強度を高めることを目的としている。
【０００７】
【課題を解決するための手段】
請求項１の発明は、キャビティを有する合成樹脂製のハウジングと、前記キャビティ内に挿入される雌端子金具と、前記ハウジングの前端面に前記キャビティと連通するように略方形に開口され、雄端子金具の先端のタブが前記キャビティ内に進入することを許容するためのタブ挿入口と、前記ハウジングの前端面に仕切壁によって前記タブ挿入口から仕切られた形態で開口された開口部とを備えたコネクタにおいて、前記タブ挿入口の開口縁における四隅のうち少なくとも前記仕切壁に沿った辺縁の端部に位置する隅部には、前記タブ挿入口の中心に向かって盛り上がる略弧状又は略テーパ状の補強部が形成されている構成とした。
【０００８】
請求項２の発明は、請求項１の発明において、前記タブ挿入口の辺縁と前記補強部の内周面とが滑らかに連なっている構成とした。
請求項３の発明は、請求項１または請求項２の発明において、前記ハウジングの前端面における前記タブ挿入口の開口縁部には、前記キャビティ側から前記ハウジングの前端面側に向かって開口面積が拡大するテーパ状の誘導部が形成されており、前記補強部は、略円弧状をなし、前記誘導部において前記ハウジングの前端面側から前記キャビティ側に向かって弧の曲率半径が増大する形態とされている構成とした。
【０００９】
請求項４の発明は、請求項１または請求項２の発明において、前記ハウジングの前端面における前記タブ挿入口の開口縁部には、前記キャビティ側から前記ハウジングの前端面側に向かって開口面積が拡大するテーパ状の誘導部が形成されており、前記補強部は、略円弧状をなし、前記誘導部において前記ハウジングの前端面側から前記キャビティ側に向かって弧の曲率半径が減少する形態とされている構成とした。
【００１０】
請求項５の発明は、請求項１の発明において、前記ハウジングの前端面における前記タブ挿入口の開口縁部には、前記キャビティ側から前記ハウジングの前端面側に向かって開口面積が拡大するテーパ状の誘導部が形成されており、前記補強部は、略テーパ状をなし、前記誘導部において前記ハウジングの前端面側から前記キャビティ側に向かってテーパ部の幅が増大する形態とされている構成とした。
【００１１】
請求項６の発明は、請求項１の発明において、前記ハウジングの前端面における前記タブ挿入口の開口縁部には、前記キャビティ側から前記ハウジングの前端面側に向かって開口面積が拡大するテーパ状の誘導部が形成されており、前記補強部は、略テーパ状をなし、前記誘導部において前記ハウジングの前端面側から前記キャビティ側に向かってテーパ部の幅が減少する形態とされている構成とした。
【００１２】
【発明の作用及び効果】
［請求項１の発明］
仕切壁は、補強部が形成された端部において厚肉となっているので、強度が高められている。したがって、仕切壁にタブなどが突き当たっても、仕切壁が破損したり変形したりすることが防止される。また、仕切壁が肉厚となるのは、仕切壁に沿う辺縁のうちの端部のみであるから、タブ挿入口の開口領域は全体としては概ね方形に保たれ、タブの挿入に支障を来たすことはない。
【００１３】
［請求項２の発明］
タブ挿入口の辺縁と補強部の内周面との境界が角張った縁部となっている場合、その角張った部分に応力が集中することが懸念されるが、本発明では、タブ挿入口の辺縁と補強部の内周面とが滑らかに連なっているので、応力集中が回避される。
［請求項３の発明］
ハウジングの前端面では、誘導部の開口面積が最大となり、しかも誘導部の四隅における補強部の弧の曲率半径が最も小さくなるので、補強部の弧の曲率が一定のままであるものに比べると、誘導部の開口領域が大きく確保され、位置ずれしたタブをキャビティ内へ誘導する機能の信頼性が高い。
【００１４】
［請求項４の発明］
タブ挿入口においてタブが略緊密に貫通される部分では、四隅における弧の曲率半径が最も小さくなっているので、方形断面のタブに対してタブ挿入口の内面を接近させることで、タブ挿入口内におけるタブのガタ付きを低減することができる。
［請求項５の発明］
ハウジングの前端面では、誘導部の開口面積が最大となり、しかも誘導部の四隅における補強部のテーパ部の幅が最も狭くなるので、テーパ部の幅が一定のままであるものに比べると、誘導部の開口領域が大きく確保され、位置ずれしたタブをキャビティ内へ誘導する機能の信頼性が高い。
【００１５】
［請求項６の発明］
タブ挿入口においてタブが略緊密に貫通される部分では、四隅におけるテーパ部の幅が最も狭くなっているので、方形断面のタブに対してタブ挿入口の内面を接近させることで、タブ挿入口内におけるタブのガタ付きを低減することができる。
【００１６】
【発明の実施の形態】
［実施形態１］
以下、本発明を具体化した実施形態１を図１乃至図４を参照して説明する。
本実施形態のコネクタＡは、ハウジング１０内に複数の雌端子金具２０を収容して構成される。ハウジング１０は、合成樹脂製であって、その内部には前後方向に細長く且つ横断面が略方形をなす複数のキャビティ１１が形成され、各キャビティ１１内には、夫々、その後端の端子挿入口（図示せず）から雌端子金具２０が挿入されている。また、キャビティ１１には、その下面壁に沿って前方へ片持ち状に延出した形態のランス１２が形成されている。キャビティ１１内の正規位置まで挿入された雌端子金具２０は、その係止孔（図示せず）をランス１２に対して前方から係止させることで、抜止め状態に保持される。このランス１２による抜止めは、ランス１２をその下方の撓み空間１３内へ弾性撓みさせることで解除される。
【００１７】
キャビティ１１の前端部（図３における左端部）は、ハウジング１０の前端面にタブ挿入口１４として開口されている。即ち、タブ挿入口１４は、キャビティ１１を構成する前面壁を前後に貫通しており、このタブ挿入口１４には、前方から雄端子金具２１の先端の細長いタブ２１ａが挿入されるようになっている。タブ２１ａの横断面形状は略正方形をなす。タブ挿入口１４を貫通したタブ２１ａが、キャビティ１１内の雌端子金具２０内に差し込まれると、雄端子金具２１と雌端子金具２０とが導通可能に接続された状態となる。
【００１８】
タブ挿入口１４の開口形状、即ちハウジング１０の正面側から視たときの形状は、タブ２１ａの横断面形状と略相似形の概ね正方形をなす。タブ挿入口１４の貫通方向における略後半部分（キャビティ１１に臨む側の部分）は、貫通方向（前後方向）において横断面形状及び横断面積が一定をなす位置決め部１５となっている。この位置決め部１５は、ここに貫通されているタブ２１ａが上下左右方向（タブ２１ａの貫通方向と直角方向）へガタ付きを生じたり斜めになったりすることを規制する。
【００１９】
ハウジング１０の前端面におけるタブ挿入口１４の開口縁部（即ち、タブ挿入口１４の貫通方向における略前半部分）は、位置決め部１５の前端に連なり、キャビティ１１側からハウジング１０の前端面側に向かって次第に開口面積が拡大するテーパ状の誘導部１６となっている。前方からタブ挿入口１４に接近したタブ２１ａが、正規位置よりも上下左右に位置ずれしているときには、タブ２１ａの先端が誘導部１６の斜面（テーパ面）に当接し、その傾斜により、タブ２１ａが、位置ずれを矯正されてタブ挿入口１４と整合するようになっている。
【００２０】
また、ハウジング１０の前端面には、ランス１２の前方の型抜き空間が治具挿入口１７として開口されているとともに、ランス１２の下方の撓み空間１３が治具挿入口１７と連通する形態で開口されている。治具挿入口１７は、タブ挿入口１４の真下であってタブ挿入口１４に接近した位置に開口されている。治具挿入口１７は、左右対称な形状であって、その対称軸は左右方向においてタブ挿入口１４の軸心と合致し、上端開口部１７ａ、中央開口部１７ｂ、下端開口部１７ｃを上から順に連ねた形状をなす。
【００２１】
上端開口部１７ａは、概ね逆台形状をなすとともに、その左右両斜辺部の上端部には切欠部が形成されている。この切欠部の形成されている高さでは、上端開口部１７ａは最大幅となり、その幅寸法は、位置決め部１５よりも幅広で且つ誘導部１６の最大幅よりも幅狭となっている。かかる上端開口部１７ａは、ランス１２のうち雌端子金具２０に係止される係止突起１２ａ（ランス１２の上端部）と同じ高さに位置する。
【００２２】
中央開口部１７ｂは、概ね横長の方形をなし、その幅は上端開口部１７ａの下辺の寸法（上端開口部１７ａの最小幅）とほぼ同じ寸法である。かかる中央開口部１７ｂは、ランス１２における係止突起１２ａよりも前方へ突出する治具当て部１２ｂ（ランス１２の前端部）と同じ高さに位置する。下端開口部１７ｃは、全体としては横長に開口し、その中央開口部１７ｂよりも幅広となる左右両側端部は斜め上方へ延びている。この下端開口部１７ｃは、ランス１２よりも下方の撓み空間１３と対応する高さに位置する。
【００２３】
この治具挿入口１７のうち上端開口部１７ａには、細長い治具Ｊが前方から差し込まれるようになっている。差し込まれた治具Ｊの先端を治具当て部１２ｂの上面に当接させた状態で、その当接部分が下向きとなるように治具Ｊを傾けると、ランス１２がその弾力に抗して下方へ撓まされる。これにより、係止突起１２ａが雌端子金具２０から外れ、ランス１２による雌端子金具２０の抜止めが解除される。
【００２４】
かかる治具挿入口１７と上記タブ挿入口１４の位置決め部１５とは、仕切壁１８で仕切られることによって互いに独立した開口部を構成している。この仕切壁１８は、誘導部１６を構成する上下左右の４つのテーパ部のうち下縁（下辺）のテーパ部を構成している。タブ挿入口１４に挿入されるべきタブ２１ａの姿勢や向きが下方へずれたときには、そのタブ２１ａが仕切壁１８に突き当たる。また、治具挿入口１７に挿入されるべき治具Ｊの姿勢や向きが上方へずれたときにも、その治具Ｊが仕切壁１８に突き当たる。このようにタブ２１ａや治具Ｊが突き当たると、仕切壁１８が破損（破断や変形等）を来すことが懸念されるが、本実施形態では、その対策が講じられている。
【００２５】
即ち、略方形をなすタブ挿入口１４の四隅には、夫々、タブ挿入口１４の中心に向かって盛り上がる略弧状の補強部１９が形成されている。これら補強部１９の形成されている位置は、タブ挿入口１４を構成する上下左右の四辺における両端位置に相当する。下辺（仕切壁１８）の左右両端に位置する２つの補強部１９は、治具挿入口１７の上端開口部１７ａよりも左右両外側方へ外れした位置から後方（位置決め部１５側）へ延びている。
【００２６】
また、各補強部１９は、タブ挿入口１４の前端から後端（誘導部１６におけるハウジング１０の前端面に臨む開口縁から、位置決め部１５におけるキャビティ１１に臨む後端縁）に亘って連続して形成されている。誘導部１６に形成されている前部補強部１９ａは、ハウジング１０の前端面側からキャビティ１１側に向かって弧の曲率半径が次第に増大する形態であって、誘導部１６の前端における開口形状は四隅が直角に角付けされた正方形をなし、誘導部１６の後端における開口形状は四隅が四半円弧状をなす略正方形となっている。一方、位置決め部１５に形成されている後部補強部１９ｂは、その前端から後端に亘って曲率半径が一定の円弧状をなし、この後部補強部１９ｂの曲率半径と前部補強部１９ａの後端における曲率半径（前部補強部１９ａの最大曲率半径）とは同じ寸法とされている。さらに、各補強部１９とタブ挿入口１４を構成する平坦状の各内面（位置決め部１５の上下左右の各内面、及び誘導部１６の上下左右の各テーパ部の表面）とは、滑らかに連続している。
【００２７】
上述のように本実施形態においては、仕切壁１８は、補強部１９が形成された端部において厚肉となっているので、強度が高められている。したがって、仕切壁１８にタブ２１ａなどが突き当たっても、仕切壁１８が破損したり変形したりすることが防止される。また、仕切壁１８が肉厚となるのは、仕切壁１８に沿う辺縁のうちの端部のみであるから、タブ挿入口１４の開口領域は全体としては概ね方形に保たれ、タブ２１ａの挿入に支障を来たすことはない。
【００２８】
尚、治具挿入口１７の上端開口部１７ａの上縁部は、仕切壁１８の下縁に食い込んでいるため、その分だけ仕切壁１８のうち両端部を除いた部分が僅かに薄くなっているのであるが、仕切壁１８の両端部においては、上端開口部１７ａの食い込みがなく、しかも、前部補強部１９ａによって肉厚となるように補強されているので、仕切壁１８全体としての強度アップが図られている。
また、タブ挿入口１４の辺縁（内面）と補強部１９の内周面との境界が角張った縁部となっている場合、その角張った部分に応力が集中することが懸念されるが、本実施形態では、タブ挿入口１４の辺縁と補強部１９の内周面とが滑らかに連なっているので、応力集中が回避されている。
【００２９】
また、ハウジング１０の前端面では、誘導部１６の開口面積が最大となり、しかも誘導部１６の四隅における補強部１９の弧の曲率半径が最も小さくなるので、補強部の弧の曲率が一定のままであるものに比べると、誘導部１６の開口領域が大きく確保され、位置ずれしたタブ２１ａをキャビティ１１内へ誘導する機能の信頼性が高い。
［実施形態２］
次に、本発明を具体化した実施形態２を図５及び図６を参照して説明する。
【００３０】
本実施形態２のコネクタＢは、補強部１９を上記実施形態１とは異なる構成としたものである。上記実施形態１における誘導部１６の前部補強部１９ａが、ハウジング１０の前端面側からキャビティ１１側に向かって弧の曲率半径が次第に増大する形態であって、誘導部１６の前端における開口形状は四隅が直角に角付けされた正方形をなし、誘導部１６の後端における開口形状は四隅が四半円弧状をなす略正方形となっているのに対し、本実施形態２の補強部１９のうち誘導部１６に形成されている前部補強部１９ｃは、誘導部１６の前端から後端に至る全領域に亘って曲率半径が一定となっており、誘導部１６の前端における開口形状は、誘導部１６の後端の開口形状と同じく、四隅が四半円弧状をなす略正方形となっている。尚、その他の構成（位置決め部１５に形成されている後部補強部１９ｂを含む）については上記実施形態１と同じであるため、同じ構成については、同一符号を付し、構造、作用及び効果の説明は省略する。
【００３１】
［実施形態３］
次に、本発明を具体化した実施形態３を図７を参照して説明する。
本実施形態３のコネクタは、補強部１９を上記実施形態１とは異なる構成としたものである。上記実施形態１における誘導部１６の前部補強部１９ａが、ハウジング１０の前端面側からキャビティ１１側に向かって弧の曲率半径が次第に増大する形態であって、誘導部１６の前端における開口形状は四隅が直角に角付けされた正方形をなし、誘導部１６の後端における開口形状は四隅が四半円弧状をなす略正方形となっているのに対し、本実施形態３の前部補強部１９ｄは、ハウジング１０の前端面側からキャビティ１１側に向かって弧の曲率半径が次第に減少する形態であって、誘導部１６の前端における開口形状は四隅が四半円弧状をなす略正方形をなし、誘導部１６の後端における開口形状は直角に角付けされた正方形をなす。また、位置決め部１５については、その開口形状が誘導部１６の後端と同一であるため、実質的に補強部は形成されていない。
【００３２】
位置決め部１５、即ちタブ挿入口１４においてタブ２１ａが略緊密に貫通される部分では、四隅における円弧の曲率半径が最も小さくなっているので、方形断面のタブ２１ａに対して位置決め孔１５の内面（上下左右の各面）を接近させることで、位置決め孔１５内におけるタブ２１ａの上下左右へのガタ付きを低減することができる。尚、その他の構成については上記実施形態１と同じであるため、同じ構成については、同一符号を付し、構造、作用及び効果の説明は省略する。
【００３３】
［実施形態４］
次に、本発明を具体化した実施形態４を図８を参照して説明する。
本実施形態４のコネクタは、補強部１９を上記実施形態１とは異なる構成としたものである。上記実施形態１における誘導部１６の前部補強部１９ａが、略円弧状をなしているのに対し、本実施形態４の前部補強部１９ｅは、略テーパ状をなしておいる。この略テーパ状の前部補強部１９ｅは、ハウジング１０の前端面側からキャビティ１１側に向かってテーパ部の幅が次第に増大する形態であって、誘導部１６の前端における開口形状は四隅が直角に角付けされた正方形をなし、誘導部１６の後端における開口形状は四隅が斜め４５°に傾斜したテーパ面となった略正方形となっている。また、位置決め部１５については、その開口形状及び後部補強部１９ｆの形態が誘導部１６の後端と同一である。尚、その他の構成については上記実施形態１と同じであるため、同じ構成については、同一符号を付し、構造、作用及び効果の説明は省略する。
【００３４】
［実施形態５］
次に、本発明を具体化した実施形態５を図９を参照して説明する。
本実施形態５のコネクタは、補強部１９を上記実施形態４とは異なる構成としたものである。上記実施形態４における誘導部１６の前部補強部１９ｅが、ハウジング１０の前端面側からキャビティ１１側に向かってテーパ部の幅が次第に増大する形態であって、誘導部１６の前端における開口形状は四隅が直角に角付けされた正方形をなし、誘導部１６の後端における開口形状は四隅が斜め４５°のテーパ面となった略正方形となっているのに対し、本実施形態５の補強部１９ｇは、ハウジング１０の前端面側からキャビティ１１側に向かってテーパ部の幅が次第に減少する形態であって、誘導部１６の前端における開口形状は四隅が斜め４５°のテーパ面をなす略正方形をなし、誘導部１６の後端における開口形状は直角に角付けされた正方形をなす。また、位置決め部１５については、その開口形状が誘導部１６の後端と同一であるため、実質的に補強部は形成されていない。その他の構成については上記実施形態４と同じであるため、同じ構成については、同一符号を付し、構造、作用及び効果の説明は省略する。
【００３５】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態ではタブ挿入口が略正方形である場合について説明したが、本発明は、タブ挿入口が長方形の場合にも適用できる。
（２）上記実施形態ではハウジングが単一部品からなる場合について説明したが、本発明は、ハウジングが雌端子金具を収容するハウジング本体と、そのハウジング本体の前端部に組み付けられるホルダとの２部品からなり、タブ挿入口と仕切壁がホルダに形成されている場合にも適用できる。
【００３６】
（３）上記実施形態では仕切壁によってタブ挿入口との間を仕切られる開口部が治具挿入口である場合について説明したが、本発明は、仕切壁によってタブ挿入口との間を仕切られる開口部が、治具挿入口以外（例えば、導通検査用のプローブを差し込むための開口部など）である場合に適用できる。
（４）上記実施形態ではタブ挿入口と開口部（治具挿入口）とが仕切壁によって完全に区間されている（仕切られている）場合について説明したが、本発明は、仕切壁の一部（中央）が切欠されていて、この切欠部分においてタブ挿入口と開口部とが連通している場合にも適用できる。
【００３７】
（５）上記実施形態ではタブ挿入口に誘導部が形成されている場合について説明したが、本発明は、タブ挿入口に誘導部が形成されていない場合にも適用できる。
（６）上記実施形態ではタブ挿入口の四隅の全てに補強部を形成したが、本発明によれば、補強部は、仕切壁に沿った辺縁の端部（一方の端部でもよく、両方の端部でもよい）のみに形成してもよい。
（７）上記実施形態ではタブ挿入口の開口縁部だけでなく、タブ挿入口の前端（誘導部の前端）からキャビティに臨む後端に至る全領域に亘って補強部を形成したが、本発明によれば、タブや治具が突き当たる開口縁部（誘導部）のみに補強部を形成してもよい。
【００３８】
（９）上記実施形態では補強部を略弧状又は略テーパ状のいずれかとしたが、本発明によれば、１つのタブ挿入口において略弧状の補強部と略テーパ状の補強部とを混在させてもよい。
【図面の簡単な説明】
【図１】実施形態１のコネクタの部分斜視図
【図２】実施形態１のコネクタの部分拡大正面図
【図３】実施形態１のハウジングの前端面における開口形状をあらわす正面図
【図４】実施形態１のコネクタの部分断面図
【図５】実施形態２のコネクタの部分斜視図
【図６】実施形態２のコネクタの部分拡大正面図
【図７】実施形態３のハウジングの前端面における開口形状をあらわす正面図
【図８】実施形態４のハウジングの前端面における開口形状をあらわす正面図
【図９】実施形態５のハウジングの前端面における開口形状をあらわす正面図
【図１０】従来例の部分正面図
【符号の説明】
Ａ…コネクタ
１０…ハウジング
１１…キャビティ
１４…タブ挿入口
１６…誘導部
１７…治具挿入口（開口部）
１９…補強部
２０…雌端子金具
２１…雄端子金具
２１ａ…タブ
Ｂ…コネクタ
【図１】
2004319385.tif 000003
【図２】
2004319385.tif 000004
【図３】
2004319385.tif 000005
【図４】
2004319385.tif 000006
【図５】
2004319385.tif 000007
【図６】
2004319385.tif 000008
【図７】
2004319385.tif 000009
【図８】
2004319385.tif 000010
【図９】
2004319385.tif 000011
【図１０】
2004319385.tif 000012